(57)【要約】【課題】  測定箇所と測定データとの対応関係を正確かつ簡便に得る。【解決手段】  ＱＲコードＡ１，Ａ２，Ａ３が付されたプローブ１１，１２，１３を測定箇所Ｂ１，Ｂ２，Ｂ３に当てた状態の測定状態画像Ｄを取得することにより、プローブ１１，１２，１３と測定箇所Ｂ１，Ｂ２，Ｂ３とを対応づけることができ、これに加えて、プローブ１１，１２，１３に対応づけられた測定データＣ１，Ｃ２，Ｃ３を取得することにより、測定箇所Ｂ１，Ｂ２，Ｂ３と測定データＣ１，Ｃ２，Ｃ３とを対応づけて表示できるので、測定箇所Ｂ１，Ｂ２，Ｂ３と測定データＣ１，Ｃ２，Ｃ３との対応関係を正確かつ簡便に得ることができる。【選択図】  図１
2014202647.tif 000002
【特許請求の範囲】
【請求項１】
画像で読み取り可能な識別データが付されたプローブと、
被測定対象の測定箇所に前記プローブを当てた状態で測定し、当該プローブに対応づけた測定データを出力する測定データ取得装置と、
前記測定箇所に前記プローブを当てた状態を撮像し、その測定状態画像を画像データとして出力する画像データ取得装置と、
この画像データ取得装置から出力された前記画像データ、当該画像データに含まれる前記識別データ、及び前記測定データ取得装置から出力された前記測定データに基づき、前記測定状態画像における前記測定箇所、前記プローブ及び前記測定データの対応関係を得る測定結果解析装置と、
この測定結果解析装置で得られた前記対応関係に基づき、前記測定箇所に前記測定データを重ねて前記測定状態画像を表示する測定結果表示装置と、
を備えた測定結果表示システム。
【請求項２】
前記プローブは複数である、
請求項１記載の測定結果表示システム。
【請求項３】
前記測定データ取得装置及び前記画像データ取得装置と前記測定結果解析装置とはインターネットを介して接続され、
前記測定結果解析装置と前記測定結果表示装置とはインターネットを介して接続された、
請求項１又は２記載の測定結果表示システム。
【請求項４】
前記測定結果解析装置は、前記測定データを解析する解析機能を有し、
前記測定結果表示装置で表示される前記測定データは、前記測定結果解析装置で解析された解析データである、
請求項１乃至３のいずれか一つに記載の測定結果表示システム。
【請求項５】
解析機能は周波数解析機能である、
請求項４記載の測定結果表示システム。
【請求項６】
画像で読み取り可能な識別データが付されたプローブ、及び測定データ取得装置を用い、被測定対象の測定箇所に前記プローブを当てた状態で測定し、当該プローブに対応づけた測定データを取得する工程と、
画像データ取得装置を用い、前記測定箇所に前記プローブを当てた状態を撮像し、その測定状態画像を画像データとして取得する工程と、
測定結果解析装置を用い、前記画像データ、当該画像データに含まれる前記識別データ、及び前記測定データに基づき、前記測定状態画像における前記測定箇所、前記プローブ及び前記測定データの対応関係を得る工程と、
測定結果表示装置を用い、前記対応関係に基づき、前記測定箇所に前記測定データを重ねて前記測定状態画像を表示する工程と、
を含む測定結果表示方法。
【発明の詳細な説明】
【技術分野】
【０００１】
本発明は、例えばスペクトラムアナライザ（以下「スペアナ」と略称する。）やオシロスコープなどの測定装置を用いた測定結果表示システム及び測定結果表示方法に関する。
【背景技術】
【０００２】
従来、スペアナやオシロスコープなどの測定装置を用いる場合は、一台の測定装置を被試験装置に接続してその場で測定するという、スタンドアローン型の測定方法が一般的であった。一方、測定処理を並列化し多数の利用者で測定装置を共有するという、ネットワーク型の測定方法が普及しつつある（特許文献１）。このようなネットワーク型の測定方法では、遠隔からの測定も可能となる。
【０００３】
また、特許文献２〜５には本発明に関連する技術が開示されている。
【先行技術文献】
【特許文献】
【０００４】
【特許文献１】国際公開第ＷＯ０１／０６７４２０号
【特許文献２】特開平０７−３０６２３４号公報
【特許文献３】特開平１０−３００７９４号公報
【特許文献４】特表２００４−５００６６９号公報
【特許文献５】特開２００９−２１１７２２号公報
【発明の概要】
【発明が解決しようとする課題】
【０００５】
例えばスペアナを用いて周波数解析を行う場合、プローブを被試験装置に接続し、スペアナで周波数解析されたデータを保存し、プローブを接続した箇所と解析表示データとを対応づけるための情報を測定者が書き留める。被試験装置の複数の箇所に対して周波数解析を行う場合は、プローブを１箇所毎に接続して、上記の作業を繰り返す。これがスペアナを用いた従来の周波数解析方法である。
【０００６】
しかしながら、上記の方法では、解析表示データが本当にそのプローブを当てた箇所のデータであるか否かの確証を得るには不十分であった。また、この方法では、測定時／測定後のデータ整理に要する担当者の作業負荷が大きくなっていた。
【０００７】
そこで、本発明の目的は、測定箇所と測定データとの対応関係を正確かつ簡便に得られる測定結果表示システム及び測定結果表示方法を提供することにある。
【課題を解決するための手段】
【０００８】
本発明に係る測定結果表示システムは、
画像で読み取り可能な識別データが付されたプローブと、
被測定対象の測定箇所に前記プローブを当てた状態で測定し、当該プローブに対応づけた測定データを出力する測定データ取得装置と、
前記測定箇所に前記プローブを当てた状態を撮像し、その測定状態画像を画像データとして出力する画像データ取得装置と、
この画像データ取得装置から出力された前記画像データ、当該画像データに含まれる前記識別データ、及び前記測定データ取得装置から出力された前記測定データに基づき、前記測定状態画像における前記測定箇所、前記プローブ及び前記測定データの対応関係を得る測定結果解析装置と、
この測定結果解析装置で得られた前記対応関係に基づき、前記測定箇所に前記測定データを重ねて前記測定状態画像を表示する測定結果表示装置と、
を備えたものである。
【０００９】
本発明に係る測定結果表示方法は、
画像で読み取り可能な識別データが付されたプローブ、及び測定データ取得装置を用い、被測定対象の測定箇所に前記プローブを当てた状態で測定し、当該プローブに対応づけた測定データを取得する工程と、
画像データ取得装置を用い、前記測定箇所に前記プローブを当てた状態を撮像し、その測定状態画像を画像データとして取得する工程と、
測定結果解析装置を用い、前記画像データ、当該画像データに含まれる前記識別データ、及び前記測定データに基づき、前記測定状態画像における前記測定箇所、前記プローブ及び前記測定データの対応関係を得る工程と、
測定結果表示装置を用い、前記対応関係に基づき、前記測定箇所に前記測定データを重ねて前記測定状態画像を表示する工程と、
を含むものである。
【発明の効果】
【００１０】
本発明によれば、画像で読み取り可能な識別データが付されたプローブを測定箇所に当てた状態の測定状態画像を取得することにより、プローブと測定箇所とを対応づけることができ、これに加えて、プローブに対応づけられた測定データを取得することにより、測定箇所と測定データとを対応づけて表示できるので、測定箇所と測定データとの対応関係を正確かつ簡便に得ることができる。
【図面の簡単な説明】
【００１１】
【図１】実施形態１の測定結果表示システムを示すブロック図である。
【図２】実施形態１における測定箇所にプローブを当てた状態を示す斜視図である。
【図３】実施形態１における測定データ変換装置を示すブロック図である。
【図４】実施形態１における携帯端末を示す斜視図である。
【図５】実施形態１におけるＰＣを示す斜視図である。
【発明を実施するための形態】
【００１２】
以下、添付図面を参照しながら、本発明を実施するための形態（以下「実施形態」という。）について説明する。なお、本明細書及び図面において、実質的に同一の構成要素については同一の符号を用いる。図面に描かれた形状は、当業者が理解しやすいように描かれているため、実際の寸法及び比率とは必ずしも一致していない。
【００１３】
本実施形態１では、特許請求の範囲における「画像で読み取り可能な識別データ」、「被測定対象」、「測定データ取得装置」、「画像データ取得装置」「測定結果解析装置」及び「測定結果表示装置」の一例として、それぞれ「ＱＲ（Quick Response）コード（登録商標）」、「被試験装置」、「測定データ変換装置」、「携帯端末」、「周波数解析サーバ」、「パーソナルコンピュータ（以下「ＰＣ」と略称する。）」を採り上げる。
【００１４】
図１に基づき、本実施形態１の測定結果表示システム１０の概要について説明する。
【００１５】
測定結果表示システム１０は、プローブ１１，１２，１３，測定データ変換装置２０、携帯端末３０、周波数解析サーバ４０、ＰＣ５０ａ，５０ｂなどを備えている。
【００１６】
プローブ１１，１２，１３は、それぞれＱＲコードＡ１，Ａ２，Ａ３が付されている。
【００１７】
測定データ変換装置２０は、被試験装置６０の測定箇所Ｂ１，Ｂ２，Ｂ３にプローブ１１，１２，１３を当てた状態で電気的特性を測定し、プローブ１１，１２，１３に対応づけた測定データＣ１，Ｃ２，Ｃ３を出力する。
【００１８】
携帯端末３０は、測定箇所Ｂ１，Ｂ２，Ｂ３にプローブ１１，１２，１３を当てた状態を撮像し、その測定状態画像Ｄを画像データＥとして出力する。
【００１９】
周波数解析サーバ４０は、測定データ変換装置２０から出力された測定データＣ１，Ｃ２，Ｃ３について周波数解析を実施することにより解析データＦ１，Ｆ２，Ｆ３を生成し、携帯端末３０から出力された画像データＥ、画像データＥに含まれるＱＲコードＡ１，Ａ２，Ａ３及び解析データＦ１，Ｆ２，Ｆ３に基づき、測定状態画像Ｄにおける測定箇所Ｂ１，Ｂ２，Ｂ３、プローブ１１，１２，１３及び解析データＦ１，Ｆ２，Ｆ３の対応関係Ｇを得る。
【００２０】
ＰＣ５０ａ，５０ｂは、周波数解析サーバ４０で得られた対応関係Ｇに基づき、測定箇所Ｂ１，Ｂ２，Ｂ３に解析データＦ１，Ｆ２，Ｆ３を重ねて測定状態画像Ｄを表示する。
【００２１】
携帯端末３０と周波数解析サーバ４０とは例えばインターネットを介して接続され、周波数解析サーバ４０とＰＣ５０ａ，５０ｂとは例えばインターネットを介して接続されている。
【００２２】
本実施形態１の測定結果表示方法は、測定結果表示システム１０の動作を方法の発明として捉えたものであり、次の（１）〜（４）の工程を含む。
【００２３】
（１）ＱＲコードＡ１，Ａ２，Ａ３が付されたプローブ１１，１２，１３、及び測定データ変換装置２０を用い、被試験装置６０の測定箇所Ｂ１，Ｂ２，Ｂ３にプローブ１１，１２，１３を当てた状態で測定し、プローブ１１，１２，１３に対応づけた測定データＣ１，Ｃ２，Ｃ３を取得する工程。
【００２４】
（２）携帯端末３０を用い、測定箇所Ｂ１，Ｂ２，Ｂ３にプローブ１１，１２，１３を当てた状態を撮像し、その測定状態画像Ｄを画像データＥとして取得する工程。
【００２５】
（３）周波数解析サーバ４０を用い、画像データＥ、画像データＥに含まれるＱＲコードＡ１，Ａ２，Ａ３、及び測定データＣ１，Ｃ２，Ｃ３に基づき、測定状態画像Ｄにおける測定箇所Ｂ１，Ｂ２，Ｂ３、プローブ１１，１２，１３及び測定データＣ１，Ｃ２，Ｃ３の対応関係Ｇを得る工程。
【００２６】
（４）ＰＣ５０ａ，５０ｂを用い、対応関係Ｇに基づき、測定箇所Ｂ１，Ｂ２，Ｂ３に測定データＣ１，Ｃ２，Ｃ３を重ねて測定状態画像Ｄを表示する工程。
【００２７】
本実施形態１によれば、ＱＲコードＡ１，Ａ２，Ａ３が付されたプローブ１１，１２，１３を測定箇所Ｂ１，Ｂ２，Ｂ３に当てた状態の測定状態画像Ｄを取得することにより、プローブ１１，１２，１３と測定箇所Ｂ１，Ｂ２，Ｂ３とを対応づけることができ、これに加えて、プローブ１１，１２，１３に対応づけられた測定データＣ１，Ｃ２，Ｃ３を取得することにより、測定箇所Ｂ１，Ｂ２，Ｂ３と測定データＣ１，Ｃ２，Ｃ３とを対応づけて表示できるので、測定箇所Ｂ１，Ｂ２，Ｂ３と測定データＣ１，Ｃ２，Ｃ３との対応関係を正確かつ簡便に得ることができる。
【００２８】
次に、図１乃至図５に基づき、測定結果表示システム１０の詳細について説明する。
【００２９】
図２に示す三本のプローブ１１，１２，１３は、それぞれ被試験装置６０の三箇所に当てられている。プローブ１１は測定箇所Ｂ１、プローブ１２は測定箇所Ｂ２、プローブ１３は測定箇所Ｂ３にそれぞれ位置する。ＱＲコードＡ１，Ａ２，Ａ３は、識別ＩＤ（identification）として用いられ、それぞれプローブ１１，１２，１３に一対一に対応している。つまりＱＲコードＡ１はプローブ１１の識別ＩＤを示し、ＱＲコードＡ２はプローブ１２の識別ＩＤを示し、ＱＲコードＡ３はプローブ１３の識別ＩＤを示している。
【００３０】
図３に示す測定データ変換装置２０は、プローブ１１，１２，１３に対応して設けられた高周波受信回路２１，２２，２３、ＡＤ変換器２４、及び、送信モジュール２５を有する。高周波受信回路２１は、低雑音アンプ２１１、バンドパスフィルタ２１２、発振器２１３、ミキサ２１４、バンドパスフィルタ２１５などを含み、プローブ１１から受けたアナログデータを無線送信可能な帯域に落としてデジタルデータに変換する機能を有する。つまり、高周波受信回路２１は、測定箇所Ｂ１にプローブ１１を当てた状態で電気的特性を測定し、プローブ１１に対応づけた測定データＣ１を、ＡＤ変換器２４及び送信モジュール２５を介して携帯端末３０へ出力する。高周波受信回路２２，２３も、高周波受信回路２１と同様な構成であり、それぞれプローブ１２，１３に対応づけた測定データＣ２，Ｃ３を携帯端末３０へ出力する。
【００３１】
図４に示す携帯端末３０は、測定結果表示装置としても動作するための解析データ表示部３１、測定箇所Ｂ１，Ｂ２，Ｂ３にプローブ１１，１２，１３を当てた状態（測定状態画像Ｄ）を撮像するカメラ３２、周波数解析サーバ４０と無線で通信できる機能などを搭載した、例えばタブレットである。そして、携帯端末３０は、測定データ変換装置２０から入力した測定データＣ１，Ｃ２，Ｃ３とともに、測定状態画像Ｄを画像データＥとして、周波数解析サーバ４０へ出力する。
【００３２】
図１に示す周波数解析サーバ４０は、測定データ受信部４１、測定データ周波数解析部４２、画像データ受信部４３、画像処理部４４、解析データ送信部４５、制御部４６、解析データ保存部４７などを有し、受信した測定データＣ１，Ｃ２，Ｃ３に周波数解析を実施して解析データＦ１，Ｆ２，Ｆ３を生成するとともに、解析データＦ１，Ｆ２，Ｆ３とプローブ１１，１２，１３による測定箇所Ｂ１，Ｂ２，Ｂ３とを対応づけるための画像処理も行う。
【００３３】
図５に示すＰＣ５０ａは、モニタからなる解析データ表示部５１ａを有し、測定箇所Ｂ１，Ｂ２，Ｂ３にそれぞれ解析データＦ１，Ｆ２，Ｆ３を重ねて測定状態画像Ｄを表示する。測定状態画像Ｄでは、被試験装置６０にＱＲコードＡ１，Ａ２，Ａ３が配置され、ＱＲコードＡ１，Ａ２，Ａ３に解析データＦ１，Ｆ２，Ｆ３が重なった状態で表示されている。ＱＲコードＡ１，Ａ２，Ａ３の位置が測定箇所Ｂ１，Ｂ２，Ｂ３である。なお、図１に示すＰＣ５０ｂも、モニタからなる解析データ表示部５１ｂを有し、ＰＣ５０ａと同様に動作する。また、図４に示す携帯端末３０の解析データ表示部３１も、ＰＣ５０ａの解析データ表示部５１ａと同様の表示が可能である。
【００３４】
次に、図１乃至図５に基づき、測定結果表示システム１０の動作を説明する。
【００３５】
本実施形態１の測定結果表示システム１０は、識別ＩＤを持ったプローブ１１，１２，１３によるスペアナ解析表示システムと言える。すなわち、本実施形態１は、測定結果表示システム１０を用いて、周波数解析を実施する例である。測定結果表示システム１０は、識別ＩＤ付きプローブ１１，１２，１３（図２）と、それらのプローブ１１，１２，１３から受けたアナログデータを無線送信可能な帯域に落としてデジタルデータに変換する測定データ変換装置２０（図３）と、受信した測定データＣ１，Ｃ２，Ｃ３を周波数解析するとともに解析データＦ１，Ｆ２，Ｆ３とプローブ１１，１２，１３による測定箇所Ｂ１，Ｂ２，Ｂ３とを対応づけるための画像処理も行う周波数解析サーバ４０（図１）と、画像処理された解析データＦ１，Ｆ２，Ｆ３を表示する携帯端末３０（図４）及びＰＣ５０ａ，５０ｂ（図５）と、を備えている。
【００３６】
ここで、周波数解析サーバ４０と物理的に離れた現場で、被試験装置６０の周波数測定を行う。そのために、測定者は、識別ＩＤ付きプローブ１１，１２，１３と、測定データ変換装置２０と、解析データ表示部３１、カメラ３２、及び、周波数解析サーバ４０に対する無線通信機能を搭載した携帯端末３０とを、測定現場に持って行く。
【００３７】
周波数解析サーバ４０は、サーバ室に設置する。また、周波数測定現場から物理的に離れた場所に、ＰＣ５０ａ，５０ｂを用意しておく。ＰＣ５０ａ，５０ｂは、周波数解析サーバ４０と通信でき、かつ解析データＦ１，Ｆ２，Ｆ３を表示できるものである。これは、測定現場の測定者以外の者でも、周波数解析データ表示を共有し、共同で解析できるようにするためである。
【００３８】
測定現場の測定者は、識別ＩＤ付きプローブ１１，１２，１３を、被試験装置６０に設置する。本実施形態１のように、複数の測定箇所Ｂ１，Ｂ２，Ｂ３を同時に測定する場合は、複数のプローブ１１，１２，１３を設置する。プローブ１１，１２，１３には、プローブ１１，１２，１３の画像を撮影したときに各識別ＩＤを認識できるように、ＱＲコードＡ１，Ａ２，Ａ３のタグをつけておく。
【００３９】
測定者は、携帯端末３０に搭載されたカメラ３２で、被試験装置６０とその上に設置したプローブ１１，１２，１３（ＱＲコードＡ１，Ａ２，Ａ３のタグが見えるようにして）とを撮影する。そして、携帯端末３０に搭載された無線ＬＡＮ等の通信機能を用いて、その画像データＥをインターネットを介して周波数解析サーバ４０へ送る。
【００４０】
周波数解析サーバ４０は、画像データ受信部４３で画像データＥを受信すると、携帯端末３０の解析データ表示部３１に画像データＥを表示させるとともに、周波数測定現場から物理的に離れた場所でＰＣ５０ａ，５０ｂの解析データ表示部５１ａ，５１ｂにも画像データＥを表示させる。
【００４１】
解析データ表示部３１に画像データＥが表示されると、解析データ表示部３１上の解析開始ボタン３３（図４）を押すことが可能となる。同様に、測定現場の測定者以外の者の解析データ表示部５１ａからも、解析開始ボタン５３（図５）を押すことが可能となる。押すことができる。
【００４２】
解析開始ボタン３３，５３のいずれかが押されると、その制御情報は、周波数解析サーバ４０を経由して、測定者が持つ携帯端末３０の解析データ表示部３１に送られる。
【００４３】
その後、測定データ変換装置２０は、各プローブ１１，１２，１３から入力したアナログ情報を、高周波受信回路２１，２２，２３にて無線送信可能な帯域に変換したあと、ＡＤ変換器２４にてデジタル情報に変換し、送信モジュール２５へ送る。送信モジュール２５は、その測定データＣ１，Ｃ２，Ｃ３を、測定者が持つ携帯端末３０まで有線／無線にて送る。
【００４４】
測定データＣ１，Ｃ２，Ｃ３を受信した携帯端末３０は、その測定データＣ１，Ｃ２，Ｃ３を周波数解析サーバ４０へ無線ＬＡＮ等を利用して送信する。このようにして、各プローブ１１，１２，１３の測定データＣ１，Ｃ２，Ｃ３が、周波数解析サーバ４０に収集される。
【００４５】
周波数解析サーバ４０は、各プローブ１１，１２，１３からの測定データＣ１，Ｃ２，Ｃ３を受信し、測定データ周波数解析部４２にて周波数解析を行い、その結果である解析データＦ１，Ｆ２，Ｆ３を画像処理部４４へ送る。
【００４６】
画像処理部４４では、測定開始前に撮影された測定状態画像Ｄ（被試験装置６０とその上に乗せたプローブ１１，１２，１３とが写っている画像）に対して、プローブ１１，１２，１３のＱＲコードＡ１，Ａ２，Ａ３のタグ上に解析データＦ１，Ｆ２，Ｆ３をプロットした解析表示データ（すなわち対応関係Ｇ）を作成し、測定時刻も付与する。
【００４７】
この解析表示データは、周波数解析サーバ４０の解析データ保存部４７に保管する。また、周波数解析サーバ４０の解析データ送信部４５は、測定現場の測定者の携帯端末３０や、測定者以外の者のＰＣ５０ａ，５０ｂに対して解析表示データを送信する。解析表示データを受信した解析データ表示部３１，５１ａ，５１ｂは、プローブ１１，１２，１３を接続した測定箇所Ｂ１，Ｂ２，Ｂ３を示す測定状態画像Ｄ上に、解析データＦ１，Ｆ２，Ｆ３を表示する。
【００４８】
次に、本発明の他の実施形態について説明する。
【００４９】
プローブ１１，１２，１３は、三本に限らず、そのうちの一本でも二本でもよいし、他のプローブを加えて四本以上としてもよい。周波数解析サーバ４０は解析機能を有さず、解析データ表示部３１，５１ａ，５１ｂは解析データＦ１，Ｆ２，Ｆ３の代わりに測定データＣ１，Ｃ２，Ｃ３を表示するようにしてもよい。
【００５０】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００５１】
次に、本発明について総括する。
【００５２】
本発明は、ＱＲコード等により識別ＩＤを搭載したプローブを複数用意し、スペアナの解析表示データとそれらのプローブの測定箇所とを自動で対応づけることにより、解析表示データと測定箇所との対応づけを可能とする。本発明によれば、解析表示データと測定箇所との対応づけに要する測定者の負荷を軽減できる。
【００５３】
本発明では、解析表示データとプローブを当てた測定箇所とを対応づけるために、ＱＲコード等により識別ＩＤを搭載したプローブを複数用意し、それらを被試験装置に接続する。その後、識別ＩＤを搭載したプローブと被試験装置との画像を撮影する。その画像は、測定者の持つタブレット等の携帯端末画面や、遠隔地側のモニタにて、表示させる。その後に、測定を開始し、スペアナにて測定解析されたデータは、識別ＩＤを搭載したプローブを写し出している画像上に表示する。
【００５４】
これにより、解析表示データとプローブを接続した測定箇所との対応づけを自動化し、解析表示データと測定箇所との対応づけの十分な確証をとることが可能となる。また、解析表示データと測定箇所との対応づけに要する担当者の作業負荷を軽減させることができる。
【００５５】
本発明は次の効果を奏する。プローブを接続した測定箇所の画像上に、解析データが自動で表示・保存されるため、解析表示データと測定箇所との対応づけの十分な確証が得られる。また、プローブを接続した測定箇所の画像上に、解析データが自動で表示・保存されるため、解析表示データと測定箇所との対応づけが容易となり、測定時／測定後のデータ整理に要する担当者の作業負荷を軽減できる。複数のプローブを同時に使い、それらの解析データを同時に表示できるため、測定時の測定者の作業負荷を軽減できる。測定現場の測定者だけでなく、遠隔地の開発メンバー等と解析情報の共有をし、共同で調査する場合も、解析表示データと測定箇所との対応づけが一枚の画像上で確認できるため、共同での調査の効率性をあげられる。
【００５６】
本発明に関して以下の付記を開示するが、本発明は以下の構成に限定されるものではない。
【００５７】
［付記１］画像で読み取り可能な識別データが付されたプローブと、
被測定対象の測定箇所に前記プローブを当てた状態で測定し、当該プローブに対応づけた測定データを出力する測定データ取得装置と、
前記測定箇所に前記プローブを当てた状態を撮像し、その測定状態画像を画像データとして出力する画像データ取得装置と、
この画像データ取得装置から出力された前記画像データ、当該画像データに含まれる前記識別データ、及び前記測定データ取得装置から出力された前記測定データに基づき、前記測定状態画像における前記測定箇所、前記プローブ及び前記測定データの対応関係を得る測定結果解析装置と、
この測定結果解析装置で得られた前記対応関係に基づき、前記測定箇所に前記測定データを重ねて前記測定状態画像を表示する測定結果表示装置と、
を備えた測定結果表示システム。
【００５８】
［付記２］前記プローブは複数である、
付記１記載の測定結果表示システム。
【００５９】
［付記３］前記測定データ取得装置及び前記画像データ取得装置と前記測定結果解析装置とはインターネットを介して接続され、
前記測定結果解析装置と前記測定結果表示装置とはインターネットを介して接続された、
付記１又は２記載の測定結果表示システム。
【００６０】
［付記４］前記測定結果解析装置は、前記測定データを解析する解析機能を有し、
前記測定結果表示装置で表示される前記測定データは、前記測定結果解析装置で解析された解析データである、
付記１乃至３のいずれか一つに記載の測定結果表示システム。
【００６１】
［付記５］解析機能は周波数解析機能である、
付記４記載の測定結果表示システム。
【００６２】
［付記６］画像で読み取り可能な識別データが付されたプローブ、及び測定データ取得装置を用い、被測定対象の測定箇所に前記プローブを当てた状態で測定し、当該プローブに対応づけた測定データを取得する工程と、
画像データ取得装置を用い、前記測定箇所に前記プローブを当てた状態を撮像し、その測定状態画像を画像データとして取得する工程と、
測定結果解析装置を用い、前記画像データ、当該画像データに含まれる前記識別データ、及び前記測定データに基づき、前記測定状態画像における前記測定箇所、前記プローブ及び前記測定データの対応関係を得る工程と、
測定結果表示装置を用い、前記対応関係に基づき、前記測定箇所に前記測定データを重ねて前記測定状態画像を表示する工程と、
を含む測定結果表示方法。
【符号の説明】
【００６３】
１０  測定結果表示システム
１１，１２，１３  プローブ
２０  測定データ変換装置（測定データ取得装置）
２１，２２，２３  高周波受信回路
２１１  低雑音アンプ
２１２  バンドパスフィルタ
２１３  発振器
２１４  ミキサ
２１５  バンドパスフィルタ
２４  ＡＤ変換器
２５  送信モジュール
３０  携帯端末（画像データ取得装置、測定結果表示装置）
３１  解析データ表示部
３２  カメラ
３３  解析開始ボタン
４０  周波数解析サーバ（測定結果解析装置）
４１  測定データ受信部
４２  測定データ周波数解析部
４３  画像データ受信部
４４  画像処理部
４５  解析データ送信部
４６  制御部
４７  解析データ保存部
５０ａ，５０ｂ  ＰＣ（測定結果表示装置）
５１ａ，５１ｂ  解析データ表示部
５３  解析開始ボタン
６０  被試験装置（被測定対象）
Ａ１，Ａ２，Ａ３  ＱＲコード（識別データ）
Ｂ１，Ｂ２，Ｂ３  測定箇所
Ｃ１，Ｃ２，Ｃ３  測定データ
Ｄ  測定状態画像
Ｅ  画像データ
Ｆ１，Ｆ２，Ｆ３  解析データ
Ｇ  対応関係
【図１】
2014202647.tif 000003
【図２】
2014202647.tif 000004
【図３】
2014202647.tif 000005
【図４】
2014202647.tif 000006
【図５】
2014202647.tif 000007